(57)【要約】      （修正有）【課題】水栓装置および電解水吐出装置がバックガードの前面に設けられたハイデザインの洗面化粧台において、水栓装置および電解水吐出装置のいずれか一方が水栓装置および電解水吐出装置のいずれか他方の使用を阻害することを抑えるとともに、歯ブラシにおいて跳ね返った電解水がボウル部の外部に付着することを抑え、排水口を除菌することができる洗面化粧台を提供する。【解決手段】洗面台１１０と、ボウル部１１１に設けられたバックガード１８０と、バックガードの前面に設けられた水栓装置１２０と、電解水を生成する電解水生成部と、バックガードの前面に設けられた電解水吐出装置１３０と、を備え、水栓装置および排水口１１３は、正面からみてボウル部の略中央に設けられ、電解水吐出装置は、中央から左方向および右方向のいずれかにずれた位置に設けられ、排水口に向かって斜めに電解水を吐出するよう設けられている。【選択図】図５
2017127393.tif 000002
【特許請求の範囲】
【請求項１】
排水口が設けられたボウル部を有する洗面台と、
前記ボウル部に設けられ前記ボウル部の縁部よりも高い位置まで延びたバックガードと、
前記バックガードの前面に設けられ、前記ボウル部に水を吐出する吐水部を有する水栓装置と、
前記水を電気分解することにより除菌作用を有する電解水を生成する電解水生成部と、
前記バックガードの前面に設けられ、前記電解水を霧状に吐出する電解水吐水部を有する電解水吐出装置と、
を備え、
前記水栓装置および前記排水口は、正面からみて前記ボウル部の略中央に設けられ、
前記電解水吐出装置は、前記中央から左方向および右方向のいずれかにずれた位置に設けられ、前記排水口に向かって斜めに前記電解水を吐出することを特徴とする洗面化粧台。
【請求項２】
前記電解水吐出装置は、前記水栓装置が設けられた位置よりも低い位置に設けられたことを特徴とする請求項１記載の洗面化粧台。
【請求項３】
前記電解水吐出装置が前記前面から前記ボウル部に向かって突出した長さは、前記水栓装置が前記前面から前記ボウル部に向かって突出した長さよりも短いことを特徴とする請求項２記載の洗面化粧台。
【請求項４】
前記電解水吐出装置は、前記ボウル部の前方へ向かって円錐形状に前記電解水を吐出することを特徴とする請求項３記載の洗面化粧台。
【発明の詳細な説明】
【技術分野】
【０００１】
本発明の態様は、一般的に、洗面化粧台に関する。
【背景技術】
【０００２】
一般的に、排水口が設けられたボウル部を有する洗面台と、ボウル部に水を吐出する吐水部を有する水栓装置と、を備えた洗面化粧台が知られている。また、除菌作用を有する機能水を生成する電解水生成手段と、電解水生成手段により生成された機能水を水周り設備に散布する電解水散布手段と、を備えた水周り設備洗浄装置が知られている（特許文献１）。特許文献１に記載された電解水生成手段は、塩化物イオン含有水（例えば水道水）を電気分解して遊離塩素含有水（電解水）を生成する。特許文献１に記載された水周り設備洗浄装置によれば、電解水を対象物へ吐出することにより、対象物における菌の繁殖を抑えることができる。
【０００３】
本願発明者は、ボウル部にバックガードが設けられた洗面化粧台であって、バックガードの前面に水栓装置および機能水吐出装置が設けられた洗面化粧台を検討している。ボウル部にバックガードが設けられていると、水栓装置や機能水吐出装置の機能部をバックガードで隠すことができ、洗面化粧台のデザインを向上させることができる。また、バックガードの前面が平らであるため、水が跳ねてバックガードの前面に付着した場合であっても、使用者は、バックガードの前面に付着した水を拭き取りやすい。そのため、水垢などの汚れが発生することを抑えることができる。このように、ボウル部にバックガードが設けられると、ハイデザインの洗面化粧台を提供することができる。
【０００４】
洗面化粧台のボウル部の表面を流れる水のほとんど全ては、排水口へ流れる。そのため、ボウル部のうちで排水口は最も濡れる機会が多い。濡れた箇所にはた箇所には黴や細菌が繁殖しやすいため、排水口には黴や細菌が多く繁殖している。したがって、排水口にも機能水を吐出することが望ましい。また、例えば使用者の口内に入れる歯ブラシに電解水を吐出し、歯ブラシの衛生性を担保する検討が行われている。
【０００５】
排水口を確実に除菌するためには、一定量の電解水が必要である。しかし、多量の電解水を生成するためには、大型あるいは多量の電極を必要とし、多量の水道水に電圧を印加する必要がある。そのため、比較的短い時間に多量の電解水を生成することは困難である。本発明者の得た知見によれば、少量の電解水によって排水口の全体を除菌するためには、電解水を霧状に吐出し、吐出範囲（着水範囲）を分散させることが効果的である。
【０００６】
一般的に、排水口は、正面からみたときに、ボウル部の中央に設けられている。また、使用者が洗面行為を行う際に、水がボウル部の外部へ跳ねないように、水栓装置は、正面からみたときに、ボウル部の中央に設けられている。ここで、電解水吐出装置がボウル部の中央に設けられていると、水栓装置および電解水吐出装置のいずれか一方は、水栓装置および電解水吐出装置のいずれか他方の下方に配置されることになる。すると、水栓装置および電解水吐出装置のいずれか一方は、水栓装置および電解水吐出装置のいずれか他方の使用を阻害することになる。
【先行技術文献】
【特許文献】
【０００７】
【特許文献１】特開平１０−２８７２１号公報
【発明の概要】
【発明が解決しようとする課題】
【０００８】
本発明は、かかる課題の認識に基づいてなされたものであり、水栓装置および電解水吐出装置がバックガードの前面に設けられたハイデザインの洗面化粧台において、水栓装置および電解水吐出装置のいずれか一方が水栓装置および電解水吐出装置のいずれか他方の使用を阻害することを抑えるとともに、歯ブラシにおいて跳ね返った電解水がボウル部の外部に付着することを抑え、排水口を除菌することができる洗面化粧台を提供することを目的とする。
【課題を解決するための手段】
【０００９】
第１の発明は、排水口が設けられたボウル部を有する洗面台と、前記ボウル部に設けられ前記ボウル部の縁部よりも高い位置まで延びたバックガードと、前記バックガードの前面に設けられ、前記ボウル部に水を吐出する吐水部を有する水栓装置と、前記水を電気分解することにより除菌作用を有する電解水を生成する電解水生成部と、前記バックガードの前面に設けられ、前記電解水を霧状に吐出する電解水吐水部を有する電解水吐出装置と、を備え、前記水栓装置および前記排水口は、正面からみて前記ボウル部の略中央に設けられ、前記電解水吐出装置は、前記中央から左方向および右方向のいずれかにずれた位置に設けられ、前記排水口に向かって斜めに前記電解水を吐出することを特徴とする洗面化粧台である。
【００１０】
この洗面化粧台によれば、水栓装置および電解水吐出装置がバックガードの前面に設けられたハイデザインの洗面化粧台において、水栓装置および電解水吐出装置のいずれか一方が水栓装置および電解水吐出装置のいずれか他方の使用を阻害することを抑えるとともに、歯ブラシにおいて跳ね返った電解水がボウル部の外部に付着することを抑え、排水口を除菌することができる。
【００１１】
第２の発明は、第１の発明において、前記電解水吐出装置は、前記水栓装置が設けられた位置よりも低い位置に設けられたことを特徴とする洗面化粧台である。
【００１２】
水栓装置は、手洗い行為や洗面行為の行いやすさを考慮し、バックガードの前面の比較的高い位置に配置されている。機能水吐出装置が水栓装置と同じ高さ、または水栓装置よりも高い位置に設けられていると、使用者は、水栓装置から吐出された水により歯ブラシを洗浄し、バックガードの前面の比較的高い位置に配置された水栓装置から歯ブラシをそのまま横にずらして機能水吐出装置から吐出された機能水に当てる。すると、必然的に、歯ブラシにおいて跳ね返った水がボウル部の外部へ飛び散りやすくなる。
【００１３】
これに対して、第２の発明に係る洗面化粧台によれば、電解水吐出装置が水栓装置が設けられた位置よりも低い位置に設けられているため、使用者は、電解水吐出装置から吐出された電解水に歯ブラシを当てる際には、必ず、水栓装置よりも低い位置に歯ブラシを移動させることになる。そのため、歯ブラシにおいて跳ね返った電解水がボウル部の外部へ飛び散ることをより抑えることができる。
【００１４】
第３の発明は、第２の発明において、前記電解水吐出装置が前記前面から前記ボウル部に向かって突出した長さは、前記水栓装置が前記前面から前記ボウル部に向かって突出した長さよりも短いことを特徴とする洗面化粧台である。
【００１５】
この洗面化粧台によれば、電解水吐出装置が水栓装置が設けられた位置よりも低い位置に設けられた場合であっても、使用者が水栓装置から吐出された水を利用して手洗い行為や洗面行為を行う際、あるいは水栓装置から吐出された水をバケツに汲む際に、電解水吐出装置が邪魔になることを抑えることができる。
【００１６】
第４の発明は、第３の発明において、前記電解水吐出装置は、前記ボウル部の前方へ向かって円錐形状に前記電解水を吐出することを特徴とする洗面化粧台である。
【００１７】
電解水吐出装置がバックガードの前面からボウル部に向かって突出した長さを、水栓装置がバックガードの前面からボウル部に向かって突出した長さよりも短くすると、電解水を吐出する電解水吐水部とバックガードの前面との間の距離が比較的短くなり、電解水吐水部がバックガードの前面から比較的近い位置に設けられることになる。すると、電解水吐出装置から吐出された電解水がバックガードの前面に当たりやすくなる。電解水が排水口に当たる前にバックガードに当たると、バックガードの前面に存在する菌と反応する。すると、電解水の除菌成分が失われ、排水口に作用する電解水の濃度が下がってしまう。
【００１８】
これに対して、第４の発明に係る洗面化粧台によれば、電解水吐出装置は、ボウル部の前方へ向かって円錐形状に電解水を吐出する。これにより、電解水吐出装置から吐出された電解水がバックガードの前面に当たることを抑えることができ、且つ、電解水を排水口の広範囲に吐出させることができる。
【発明の効果】
【００１９】
本発明の態様によれば、水栓装置および電解水吐出装置がバックガードの前面に設けられたハイデザインの洗面化粧台において、水栓装置および電解水吐出装置のいずれか一方が水栓装置および電解水吐出装置のいずれか他方の使用を阻害することを抑えるとともに、歯ブラシにおいて跳ね返った電解水がボウル部の外部に付着することを抑え、排水口を除菌することができる洗面化粧台が提供される。
【図面の簡単な説明】
【００２０】
【図１】本発明の実施の形態にかかる洗面化粧台を表す模式的斜視図である。
【図２】本実施形態にかかる洗面化粧台の要部構成を表すブロック図である。
【図３】本実施形態の電解水吐出装置の具体例を例示する模式的斜視図である。
【図４】本実施形態の電解水生成部の具体例を表す模式的断面図である。
【図５】本実施形態のボウル部の近傍を表す模式的斜視図である。
【図６】電解水が歯ブラシに当たっている状態を表す模式的斜視図である。
【図７】本実施形態のボウル部を上から眺めた模式的平面図である。
【図８】図７に表した切断面Ｃ８−Ｃ８における模式的断面図である。
【図９】図７に表した切断面Ｃ９−Ｃ９における模式的断面図である。
【図１０】図８に表した切断面Ｃ１０−Ｃ１０における模式的断面図である。
【発明を実施するための形態】
【００２１】
以下、本発明の実施の形態について図面を参照しつつ説明する。なお、各図面中、同様の構成要素には同一の符号を付して詳細な説明は適宜省略する。  
図１は、本発明の実施の形態にかかる洗面化粧台を表す模式的斜視図である。  
図２は、本実施形態にかかる洗面化粧台の要部構成を表すブロック図である。  
図３は、本実施形態の電解水吐出装置の具体例を例示する模式的斜視図である。  
図４は、本実施形態の電解水生成部の具体例を表す模式的断面図である。
【００２２】
本実施形態にかかる洗面化粧台１００は、洗面台１１０と、水栓装置１２０と、電解水吐出装置（機能水吐出装置）１３０と、電解水生成部（機能水生成部）１５０と、バックガード１８０と、を備える。図１に表したように、洗面台１１０は、例えばキャビネット１９２の上に設けられている。洗面台１１０の上には、化粧鏡１９１が設けられていてもよい。なお、洗面台１１０の周囲に配置される部材は、キャビネット１９２および化粧鏡１９１だけには限定されない。
【００２３】
なお、本願明細書において、「上」、「下」、「右」および「左」という記載は、洗面化粧台１００の前で洗面化粧台１００を見た人を基準とした上、下、右および左をそれぞれいう。また、本願明細書においては、洗面化粧台１００から、洗面化粧台１００の前に居る人へ向かう方向を「前」方向とし、その逆方向を「後」方向とする。
【００２４】
洗面台１１０は、ボウル部１１１を有する。  
バックガード１８０は、ボウル部１１１の後側（奥側）の部分に設けられ、ボウル部１１１の縁部１１９よりも高い位置まで延びている。バックガード１８０は、水栓装置１２０や電解水吐出装置１３０などの機能部を隠すことができ、洗面化粧台１００のデザインを向上させることができる。
【００２５】
図１に表したように、水栓装置１２０は、バックガード１８０の前面１８１に設けられている。図２に表したように、水栓装置１２０は、吐水部１２１を有する。吐水部１２１は、ボウル部１１１に水１６７を吐出する。水１６７は、通常水（例えば、水道水）である。具体的に説明すると、水栓装置１２０は、分岐金具１４２および開閉弁１４４を介して給水源１４５に接続されている。分岐金具１４２は、例えばボウル部１１１の下に設けられている。水１６７は、水栓装置１２０の操作部である操作レバー１２２への手動操作により開閉弁１４４が開状態となった際に、開閉弁１４４を通って吐水部１２１からボウル部１１１に吐出される。なお、本実施形態において、操作レバー１２２および開閉弁１４４は、互いに一体に設けられている。
【００２６】
図１に表したように、電解水吐出装置１３０は、バックガード１８０の前面１８１に設けられている。図２に表したように、電解水吐出装置１３０は、操作部１３１を有する。例えば使用者が操作部１３１を操作すると、電解水吐出装置１３０は、除菌作用を有する電解水（機能水）１６１を霧状に吐出する。霧状の機能水１６１の粒子径は、分布をもっており、サブミクロンオーダーのものから、２０００マイクロメートル（μｍ）を越えるものまで存在する。霧状の機能水１６１の平均粒子径は、例えば約２００μｍ以上１５００μｍ以下程度である。図２に表したように、電解水吐出装置１３０は、分岐金具１４２および電磁弁１４３を介して給水源１４５に接続されている。電磁弁１４３は、例えばボウル部１１１の下に設けられている。
【００２７】
電解水生成部１５０は、電磁弁１４３と電解水吐出装置１３０との間に設けられ、除菌作用を有する電解水１６１を生成する。例えば、図４に表したように、電解水生成部１５０は、陽極１５１と、陰極１５２と、を内部に有し、制御部１４１から出力された通電の制御信号により、陽極１５１と、陰極１５２と、の間の空間（流路）を流れる水道水を電気分解することができる。水道水は、塩化物イオンを含んでいる。塩化物イオンは、水源（例えば、地下水や、ダムの水や、河川などの水）に例えば食塩（ＮａＣｌ）や塩化カルシウム（ＣａＣｌ２）などとして含まれている。
【００２８】
そこで、電圧が陽極１５１と陰極１５２との間に供給されると、式（１）に表した反応が陰極１５２において生ずる。
Ｈ＋＋ｅ−  →  １／２Ｈ２↑                 ・・・（１）
【００２９】
一方で、電圧が陽極１５１と陰極１５２との間に供給されると、式（２）および式（３）に表した反応が陽極１５１において生ずる。
２ＯＨ−  →  ２ｅ−＋Ｈ２Ｏ＋１／２Ｏ２↑    ・・・（２）
Ｃｌ−  →  ｅ−＋１／２Ｃｌ２               ・・・（３）
【００３０】
式（３）において発生した塩素は気泡としては存在しにくく、ほとんどの塩素は水に溶解する。そのため、式（３）において発生した塩素については、式（４）に表した反応が生ずる。このようにして、塩化物イオンを電気分解することにより次亜塩素酸（ＨＣｌＯ）が生成される。その結果、電解水生成部１５０において電気分解された水は、次亜塩素酸を含む液に変化する。
Ｃｌ２＋Ｈ２Ｏ  →  ＨＣｌＯ＋Ｈ＋＋Ｃｌ−    ・・・（４）
【００３１】
次亜塩素酸は、除菌成分として機能する。次亜塩素酸を含む液は、例えばボウル部１１１や排水口１１３、排水口１１３の内部１１６、ヘアキャッチャー１６５（図９参照）などに付着している細菌を除菌することができる。
【００３２】
電解水が細菌と反応すると、式（５）に表した反応が生ずる。
Ｒ−Ｈ＋ＨＣｌＯ  →  Ｒ−ＯＨ＋Ｈ＋＋Ｃｌ−    ・・・（５）
式（５）の中に表した「Ｒ−Ｈ」は、有機物であり、例えば細菌の細胞である。式（５）の中に表した「Ｒ−ＯＨ」は、分解された有機物である。これにより、細菌の細胞が変性され、除菌（殺菌）が行われる。そして、電解水が細菌と反応すると、除菌成分（ＨＣｌＯ）が失われるため、結果として、電解水（除菌水）の濃度が下がる。
【００３３】
また、時間が経つと、式（６）に表した反応が生ずる。
２ＨＣｌＯ  →  ２Ｈ＋＋２Ｃｌ−＋Ｏ２    ・・・（６）
このように、時間が経つと、除菌成分（ＨＣｌＯ）が失われるため、結果として、電解水（除菌水）の濃度が下がる。
【００３４】
なお、本実施形態の電解水生成部１５０は、次亜塩素酸を含む液を生成することには限定されない。電解水生成部１５０は、水を電気分解することにより除菌作用を有する電解水を生成できればよい。
【００３５】
制御部１４１が電磁弁１４３に信号を送信し電磁弁１４３を開くと、給水源１４５から供給された水は、分岐金具１４２および電磁弁１４３を通って電解水生成部１５０に供給される。電解水生成部１５０に供給された水は、電解水生成部１５０において電解水１６１として生成され、電解水吐出装置１３０からボウル部１１１に吐出される。
【００３６】
例えば、図３に表したように、電解水吐出装置１３０は、操作部１３１と、電解水吐水部１３２（機能水吐水部）と、照射部１３３と、を有する。電解水吐出装置１３０は、例えば使用者が操作部１３１を操作すると、電解水生成部１５０により生成された電解水１６１を電解水吐水部１３２からボウル部１１１に向けて吐出する。電解水吐出装置１３０は、照射部１３３から光を放出し、電解水吐水部１３２から吐出された電解水１６１に光を照射してもよい。
【００３７】
図５は、本実施形態のボウル部の近傍を表す模式的斜視図である。  
図６は、電解水が歯ブラシに当たっている状態を表す模式的斜視図である。  
図７は、本実施形態のボウル部を上から眺めた模式的平面図である。  
図８は、図７に表した切断面Ｃ８−Ｃ８における模式的断面図である。  
図９は、図７に表した切断面Ｃ９−Ｃ９における模式的断面図である。
【００３８】
図５〜図９に表したように、ボウル部１１１は排水口１１３を有する。排水口１１３は、正面からみてボウル部１１１の中央Ｂ１に設けられている。図８および図９に表したように、ボウル部１１１の表面１１５には、排水口１１３に向かって下方に傾斜した排水勾配が形成されている。排水口１１３の上には、排水栓１１２が設けられている。排水栓１１２は、排水口１１３の部分に常設され、上下方向に昇降することにより排水口１１３を開閉することができる。本実施形態においては、排水口１１３は、正面からみてボウル部１１１の中央Ｂ１に設けられているが、本発明はそれに限らず、排水口１１３は、正面からみてボウル部１１１の略中央に設けられていれば良い。なお、本発明の排水口１１３における「正面からみてボウル部１１１の略中央」とは、正面からみて、排水口１１３がボウル部１１１の中央Ｂ１と上下方向に重なっている範囲と定義する。
【００３９】
水栓装置１２０は、図７および図８に表したように、水栓装置１２０は、正面からみてボウル部１１１の略中央に設けられている。なお、本発明の水栓装置１２０における「正面からみてボウル部１１１の略中央」とは、正面からみて、ボウル部１１１の中央Ｂ１と上下方向に重なった位置に設けられた排水口１１３と上下方向に重なっている範囲と定義する。
【００４０】
図８に表したように、電解水吐出装置１３０は、排水口１１３に向かって斜めから電解水１６１を吐出する。例えば、電解水吐出装置１３０から霧状に吐出された電解水１６１は、排水栓１１２を含む領域に着水する。すなわち、例えば、電解水吐出装置１３０から霧状に吐出された電解水１６１のうちの少なくとも一部は、排水栓１１２に着水する。なお、電解水吐出装置１３０から吐出された電解水１６１が着水する領域は、これだけには限定されない。
【００４１】
図６に表したように、例えば使用者は、電解水吐出装置１３０から吐出された電解水１６１に歯ブラシ１７１を当てることにより、歯ブラシ１７１における細菌の繁殖を抑制することができる。
【００４２】
ここで、電解水吐出装置がボウル部の中央に設けられていると、水栓装置および電解水吐出装置のいずれか一方は、水栓装置および電解水吐出装置のいずれか他方の下方に配置されることになる。すると、水栓装置および電解水吐出装置のいずれか一方は、水栓装置および電解水吐出装置のいずれか他方の使用を阻害することになる。
【００４３】
これに対して、本実施形態にかかる洗面化粧台１００では、電解水吐出装置１３０は、ボウル部１１１の中央Ｂ１から左方向および右方向のいずれかにずれた位置に設けられ、排水口１１３に向かって斜めに電解水１６１を吐出する。図８に表した例では、電解水吐出装置１３０の右端部は、ボウル部１１１の中央Ｂ１から左方向に距離Ｄ３３だけ離れた位置に設けられている。
【００４４】
これによれば、水栓装置１２０および電解水吐出装置１３０がバックガード１８０の前面１８１に設けられたハイデザインの洗面化粧台１００において、水栓装置１２０および電解水吐出装置１３０のいずれか一方が水栓装置１２０および電解水吐出装置１３０のいずれか他方の使用を阻害することを抑えるとともに、歯ブラシ１７１において跳ね返った電解水１６１がボウル部１１１の外部（例えばボウル部１１１の縁部１１９の上面や、洗面カウンタ１７３）に付着することを抑え、排水口を除菌することができる。
【００４５】
図８に表したように、電解水吐出装置１３０は、水栓装置１２０が設けられた位置よりも低い位置に設けられている。図８に表した例では、電解水吐出装置１３０の上端部は、水栓装置１２０の下端部から下方向に距離Ｄ３１だけ離れた位置に設けられている。
【００４６】
これによれば、使用者は、電解水吐出装置１３０から吐出された電解水１６１に歯ブラシを当てる際には、必ず、水栓装置１２０よりも低い位置に歯ブラシを移動させることになる。そのため、歯ブラシ１７１において跳ね返った電解水１６１がボウル部１１１の外部へ飛び散ることをより抑えることができる。
【００４７】
図７に表したように、電解水吐出装置１３０がバックガード１８０の前面１８１からボウル部１１１に向かって突出した長さＤ３４は、水栓装置１２０がバックガード１８０の前面１８１からボウル部１１１に向かって突出した長さＤ３５よりも短い。言い換えれば、電解水吐出装置１３０の前端部とバックガード１８０の前面１８１との間の距離Ｄ３４は、水栓装置１２０の前端部とバックガード１８０の前面１８１との間の距離Ｄ３５よりも短い。
【００４８】
また、電解水吐出装置１３０は、正面からみてボウル部１１１の中央Ｂ１から左方向および右方向のいずれかにずれた位置に設けられている。図８に表した例では、電解水吐出装置１３０は、正面からみてボウル部１１１の中央Ｂ１から左方向にずれた位置に設けられている。この例において、電解水吐出装置１３０の右端部は、ボウル部１１１の中央Ｂ１から左方向に距離Ｄ３３だけ離れた位置に設けられている。
【００４９】
これによれば、電解水吐出装置１３０が水栓装置１２０が設けられた位置よりも低い位置に設けられた場合であっても、使用者が水栓装置１２０から吐出された水１６７を利用して手洗い行為や洗面行為を行う際、あるいは水栓装置１２０から吐出された水１６７をバケツに汲む際に、電解水吐出装置１３０が邪魔になることを抑えることができる。
【００５０】
図１０は、図８に表した切断面Ｃ１０−Ｃ１０における模式的断面図である。  
図５〜図９に関して前述したように、電解水吐出装置１３０がバックガード１８０の前面１８１からボウル部１１１に向かって突出した長さＤ３４は、水栓装置１２０がバックガード１８０の前面１８１からボウル部１１１に向かって突出した長さＤ３５よりも短い。すると、電解水を吐出する電解水吐水部とバックガードの前面との間の距離が比較的短くなり、電解水吐水部がバックガードの前面から比較的近い位置に設けられることになる。すると、電解水吐出装置から吐出された電解水がバックガードの前面に当たりやすくなる。電解水が排水口に当たる前にバックガードに当たると、バックガードの前面に存在する菌と反応する。すると、電解水の除菌成分が失われ、排水口に作用する電解水の濃度が下がってしまう。
【００５１】
これに対して、本実施形態にかかる洗面化粧台１００では、図８および図１０に表したように、電解水吐出装置１３０は、ボウル部１１１の前方へ向かって円錐形状に電解水１６１を吐出する。円錐状に吐出された電解水１６１の内部の空間は、霧状の電解水１６１で満たされている。つまり、電解水吐出装置１３０から吐出された電解水１６１の吐水形態は、充円錐吐水である。
【００５２】
これにより、電解水吐出装置１３０から吐出された電解水１６１がバックガード１８０の前面１８１に当たることを抑えることができ、電解水１６１を排水口１１３の広範囲に吐出させることができる。また、排水口１１３の周囲だけではなく、排水栓１１２を除菌し、きれいにすることができる。
【００５３】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、水栓装置１２０および電解水吐出装置１３０などが備える各要素の形状、寸法、材質、配置などや水栓装置１２０および電解水吐出装置１３０の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００５４】
１００ 洗面化粧台、  １１０ 洗面台、  １１１ ボウル部、  １１２ 排水栓、  １１３ 排水口、  １１５ 表面、  １１９ 縁部、  １２０ 水栓装置、  １２１ 吐水部、  １２２ 操作レバー、  １３０ 電解水吐出装置（機能水吐出装置）、  １３１ 操作部、  １３２ 電解水吐水部（機能水吐水部）、  １３３ 照射部、  １４１ 制御部、  １４２ 分岐金具、  １４３ 電磁弁、  １４４ 開閉弁、  １４５ 給水源、  １５０ 電解水生成部（機能水生成部）、  １５１ 陽極、  １５２ 陰極、  １６１ 電解水（機能水）、  １６５ ヘアキャッチャー、  １６７ 水、  １７１ 歯ブラシ、  １７３ 洗面カウンタ、  １８０ バックガード、  １８１ 前面、  １９１ 化粧鏡、  １９２ キャビネット、  Ｂ１ 中央
【図１】
2017127393.tif 000003
【図２】
2017127393.tif 000004
【図３】
2017127393.tif 000005
【図４】
2017127393.tif 000006
【図５】
2017127393.tif 000007
【図６】
2017127393.tif 000008
【図７】
2017127393.tif 000009
【図８】
2017127393.tif 000010
【図９】
2017127393.tif 000011
【図１０】
2017127393.tif 000012